(57)【要約】【課題】水槽を載置場所から動かすことなく容易に水槽内の水の部分交換や排泄物等の除去が行え、観賞性に優れた観賞用水槽体を提供する。【解決手段】水槽本体１には、水槽本体１の底面４から１／４〜１／２の高さ位置までの水を残して排水を可能にした水抜手段６を備えていることを特徴とする。【選択図】　　　図１
2004065172.tif 000002
【特許請求の範囲】
【請求項１】
水槽本体（１）には、水槽本体（１）の底面（４）から１／４〜１／２の高さ位置までの水を残して排水を可能にした水抜手段（６）を備えていることを特徴とする観賞用水槽体。
【請求項２】
前記水抜手段（６）は、水槽本体（１）の背面（５）又は側面（３ａ、３ｂ）に設け且つ水槽本体（１）の底面（４）から１／４〜１／２の高さ位置に設けた流出孔（７）と、該流出孔（７）と連通する排水管（８）と、排水管（８）の流路を開閉する栓部材（９）と、からなっていることを特徴とする請求項１記載の観賞用水槽体。
【請求項３】
前記水抜手段（６）は、水槽本体（１）の底位置に設けた水抜孔（１２）と、該水抜孔（１２）と連通し且つ水槽本体（１）の底面（４）から１／４〜１／２の高さ位置まで突出する管体（１６）と、該管体（１６）の下端から水槽本体（１）外に導く導水管（１７）と、該導水管（１７）の流路を開閉する栓部材（９）と、からなっていることを特徴とする請求項１記載の観賞用水槽体。
【請求項４】
前記管体（１６）及び導水管（１７）は、水抜孔（１２）よりも１５％〜３０％大きな外径を有し且つ柔軟性と弾力性を保有するホース（１３）であり、該ホース（１３）の一端は水抜孔（１２）内に弾力を利用して圧入していることを特徴とする請求項３記載の観賞用水槽体。
【請求項５】
水槽本体（１）の底位置には、完全水抜手段（１８）を備えていることを特徴とする請求項１、２、３又は４記載の観賞用水槽体。
【請求項６】
前記完全水抜手段（１８）は、水槽本体（１）の底位置に設けた排水孔（１９）と、該排水孔（１９）よりも１５％〜３０％大きな外径を有し且つ柔軟性と弾力性を保有するホース（２０）と、該ホース（２０）の流路を開閉する栓部材（９）と、からなり、該ホース（２０）の一端は排水孔（１９）内に弾力を利用して圧入し、ホース（２０）の一端が水槽本体（１）の底面と面一になっていることを特徴とする請求項１、２、３、４又は５記載の観賞用水槽体。
【請求項７】
突出する管体（１６）には、偽装部材（１４、２３）が備えてあることを特徴とする請求項３、４、５又は６記載の観賞用水槽体。
【請求項８】
水槽本体（１）内には、仕切板（２４）によって区画された花器として使用する区画槽（２６）を備えていることを特徴とする請求項１、２、３、４、５、６又は７記載の観賞用水槽体。
【請求項９】
前記区画槽（２６）の底位置には、完全水抜手段（１８）を備えていることを特徴とする請求項８記載の観賞用水槽体。
【請求項１０】
前記区画槽（２６）内には、補助花器（３１）を備えていることを特徴とする請求項８又は９記載の観賞用水槽体。
【発明の詳細な説明】
【０００１】
【発明の属する技術分野】
本発明は、金魚、熱帯魚等の観賞魚を飼育するための観賞用水槽体に関するものである。
【０００２】
【従来の技術】
水槽内で泳ぐ金魚や熱帯魚等の観賞魚は、観賞する人の気持ちを和ませ、優しい気持ちにさせたり、元気を与えてくれたりと、心を和ませる作用を有し、さらに水槽内に水生植物や石、岩等を入れることで、室内にいながらにしてあたかも水中にいるかのような臨場感を醸しだすことができ、観賞性を高めることができる。このように観賞価値の高い状態を維持するためには、観賞魚が病気にならず元気に生息できるような快適な環境を水槽内に保たなければならない。そのためにも、定期的に水槽内の水の部分交換を行なったり、また、水槽内の底に溜まった残り餌やふん等の排泄物の除去を行う必要がある。
【０００３】
しかしながら、水槽内の水の部分交換や排泄物等の除去作業を行う際には、水槽は観賞し易いように観賞する人の目の高さに合わせて台等の上に載置されていることが多いため、載置場所でしかも水槽の口部より作業を行うことは困難且つ不都合であるため、水槽を床に下ろしたり、別の場所に移動させなければならなかったが、移動の途中に水槽内の水が床にこぼれたり、水槽が大きいものになると水槽内の水と合わせると非常に重たくなり水槽を移動させることも非常に困難であり、従って作業が非常に面倒となり何ヶ月もの間水槽の水交換や掃除を行わず、観賞魚が快適に生息できる環境を崩し病気にさせてしまったり、最悪の場合は死に至らしめてしまうこともある。また、観賞性を高めるために水槽内に水性植物や石や岩等を見栄え等を考慮して入れてある場合は、水槽内の水交換や排泄物等の除去作業のために動かされてしまい、見栄えが悪くなり観賞価値が損なわれてしまう問題もあった。
【０００４】
【発明が解決しようとする課題】
そこで本発明は、前記事情に基づいてなされたものであり、水槽を載置場所から動かすことなく容易に水槽内の水の部分交換や排泄物等の除去が行え、観賞性に優れた観賞用水槽体を提供することを目的とする。
【０００５】
【課題を解決するための手段】
上記目的を達成するために、本発明のうち請求項１記載の発明は、水槽本体には、水槽本体の底面から１／４〜１／２の高さ位置までの水を残して排水を可能にした水抜手段を備えていることを特徴とする。
【０００６】
このように構成すれば、水抜手段を開口し水槽内の古い水を排水した後、水槽上面の口部から新しい水を注入することで、水槽を載置場所から移動させることなく容易に水交換を行うことができ、また、水槽を別の場所に移動させなければいけない場合でも、載置場所であらかじめ古い水の排水を行うことで、水槽が軽くなるため移動が容易になるうえに、移動途中に水槽内の水が床などにこぼれる心配もない。さらに、水槽内の古い水の排水を行っても、古い水の１／４〜１／２を常に水槽内に残すことが可能であるため、その上から新しい水を注入しても、水槽内の水が完全に新しい水と交換されることを防ぎ、水槽内を観賞魚の生息に適した環境に保つことができる。
【０００７】
ここで、水抜手段に関しては、水槽本体内の水の排水及び止水可能な全ての手段を含み、特に限定しないが、請求項２記載の発明のように、水槽本体の背面又は側面に設け且つ水槽本体の底面から１／４〜１／２の高さ位置に設けた流出孔と、該流出孔と連通する排水管と、排水管の流路を開閉する栓部材と、から構成することが望ましい。このように構成すれば、栓部材を開栓することで、水槽本体の水を流出孔の下端部分まで排水可能であるため、水槽本体の底面から１／４〜１／２の高さ位置まで水を確実に残すことが可能となり、水槽内の水の部分交換を容易に行うことができる。また、排水管によって古い水が水槽本体の外側に導かれるため容易に排水を行うことができる。流出孔内に連通する排水管の一端は、水槽本体内壁と面一になっていることが望ましい。排水管に関しては、例えばホース等が挙げられ、ホースの一端を流出孔内に直接嵌め込んでもよいし、流出孔内に固着し且つタケノコネジが形成された先端部分が流出孔を貫通し水槽本体の外側に突出する排水管取付部材をホースの一端内に嵌め込み連結させてもよい。栓部材に関しては、例えば排水管の先端部分にコルクやキャップ等を嵌脱可能に嵌め込んでもよいし、排水管をホースにした場合は、ホースの他端部分を折り曲げ着脱可能にクリップ止めしてもよい。水抜手段を備える位置は、水槽を飾った際の外見上の体裁を良好にするために背面側に備えることが望ましい。
【０００８】
また、請求項３記載の発明のように、水抜手段を水槽本体の底位置に設けた水抜孔と、該水抜孔と連通し且つ水槽本体の底面から１／４〜１／２の高さ位置まで突出する管体と、該管体の下端から水槽本体外に導く導水管と、該導水管の流路を開閉する栓部材と、から構成しても、水槽内の水の部分交換を容易に行うことができる。この際、水槽本体の底位置で容易に排水可能にするために、水槽本体の下部に架台や支持脚を備えることが望ましい。管体と導水管の連結に関しては、例えば水抜孔を貫通し水槽本体の底から突出した管体の下端部分にタケノコネジを形成し、導水管をホース等にすることによって、ホースの一端内に管体のタケノコネジ部分を嵌め込むことで管体と導水管を連結させることができる。また、管体と導水管をホース等によって一体に形成してもよい。栓部材に関しては、前記記載と同様に、例えば導水管の先端部分にコルクやキャップ等を嵌脱可能に嵌め込んでもよいし、導水管をホースにした場合は、ホースの他端部分を折り曲げ着脱可能にクリップ止めしてもよい。
【０００９】
管体及び導水管については、パイプ状であればプラスティック製、金属製、木製等特に限定しないが、請求項４記載の発明のように、管体及び導水管を水抜孔よりも１５％〜３０％大きな外径を有し且つ柔軟性と弾力性を保有するホースにすれば、該ホースの一端を水抜孔内に弾力を利用して圧入し、さらに水抜孔を貫通し水槽本体の底面から上方に突出させるとともに、ホースの他端を水槽本体の底面から下方に突出させることによって、管体と導水管を一体に形成することが可能となり、加工が容易となり低コスト化を図ることができる。また、水抜孔内にホースを圧入することでホースが強固に固定され、止具や接着剤を必要とせずに圧入したホースのズレや水漏れを防ぐことができる。ホースの素材としては、例えばフッ素ゴムやシリコーンゴム等が挙げられる。また、圧入するホースの外径を水抜孔の径に対して１５％〜３０％、好ましくは２０％〜２５％大きくしてあるのは、水抜孔内に圧入されたホースがより確実且つ強固に固定され、引き抜きが困難であるからである。
【００１０】
請求項５記載の発明のように、水槽本体に請求項１、２、３又は４記載の水抜手段を設けるとともに、水槽本体の底位置に完全水抜手段を備えることによって、水槽本体内の古い水が全て排水可能となるうえ、水槽本体内の底面に溜まった排泄物等を古い水と共に全て排水することが可能となり、水槽内をより衛生的な観賞魚の生息に適した環境に保つことができる。完全水抜手段に関しては、水槽本体内の水を全て排水可能で且つ止水可能な全ての手段を含み、水槽本体の底位置に設けた排水用の孔と、孔に連通し且つ上端が底面と面一になっている排水管と、排水管の流路を開閉する栓部材と、から構成することが望ましく、排水管に関しては、例えばホース等が挙げられ、ホースの一端を孔内に直接嵌め込んでもよいし、孔内に固着し且つタケノコネジが形成された下端部分が水槽本体の底面より突出する排水管取付部材をホースの一端内に嵌め込み連結させてもよい。栓部材に関しては、例えば排水管の下端部分にコルクやキャップ等を嵌脱可能に嵌め込んでもよいし、排水管をホースにした場合は、ホースの他端部分を折り曲げ着脱可能にクリップ止めしてもよい。
【００１１】
また、請求項６記載の発明のように、完全水抜手段を水槽本体の底位置に設けた排水孔と、該排水孔よりも１５％〜３０％大きな外径を有し且つ柔軟性と弾力性を保有するホースと、該ホースの流路を開閉する栓部材と、から構成し、該ホースの一端は排水孔内に弾力を利用して圧入し、ホースの一端を水槽本体の底面と面一にすることによって、ホースの一端を排水孔内に圧入するため、ホースが強固に固定され引き抜きが困難となり、さらに、ホースの一端が水槽本体の底面と面一になっていることから、確実に水槽内の水を排泄物等と共に全て排水することができる。ホースの材質に関しては前記記載のものと同様になり、例えばフッ素ゴムやシリコーンゴム等が挙げられ、圧入するホースの外径を排水孔の径に対して１５％〜３０％、好ましくは２０％〜２５％大きくしてあるのは、排水孔内に圧入されたホースがより確実且つ強固に固定され、引き抜きが困難であるからである。また、栓部材に関しても前記記載のものと同様となり、例えばホースの下端部分にコルクやキャップ等を嵌脱可能に嵌め込んでもよいし、ホースの他端部分を折り曲げ着脱可能にクリップ止めしてもよい。
【００１２】
水槽内の水を排水するには、水抜手段及び完全水抜手段の先端部分に洗面器等の排水を入れる容器を置くことで容易に排水できる。水槽本体は、観賞魚を飼育及び観賞可能なものであればどのような容器でも良く、金魚鉢型や長方形及び正方形型などが挙げられる。水槽本体の材質に関しては、透明度の優れたガラスによって形成することが望ましいが、加工が容易であるアクリル製の板材によって形成してもよい。また、水抜手段及び完全水抜手段を備える面は、取付方法上厚めに形成する必要があるため、ガラス板を２枚固着させてもよいし、その面のみをアクリル製の板材で形成してもよい。
【００１３】
請求項７記載の発明のように、突出する管体に偽装部材を備えることによって、管体の突出部分が周囲から直接見えなくなるため水槽の外観上の体裁が非常に良くなり、観賞価値をより高めることができるとともに、管体を水抜孔と偽装部材の２箇所でより一層確実且つ強固に固定し引き抜きを困難とすることができる。偽装部材に関しては、特に限定しないが、例えば突出した管体の最上端まで玉砂利を入れもよいし、水抜孔の内径以上管体の外径未満の貫通孔を設けた岩型、蛙型又は亀型等のホース止めを底面に載置し、該貫通孔内に管体の突出部分を嵌挿してもよい。
【００１４】
請求項８記載の発明のように、水槽本体内に仕切板によって区画された花器として使用する区画槽を備えることによって、区画槽を花瓶や水盤として使用することが可能となり、観賞魚の優美さと生け花の華やかさが巧みに調和され、優雅な雰囲気を醸し出し、観賞価値をより一層向上させることができる。また、区画槽の使用用途は花器のみに限らず、水槽本体内の古い水の部分交換及び完全水交換を行う際に一時的に観賞魚を移し替えておいたり、観賞魚の稚魚や同じ水槽内で飼育できないような観賞魚を入れて飼育及び観賞するための水槽として使用することもできる。
【００１５】
また、請求項９記載の発明のように、区画槽の底位置に完全水抜手段を備えることによって、水槽を移動させることなく区画槽内の古い水の交換を容易に行うことが可能となり、生け花のみずみずしい状態を長期間にわたって保つことができる。完全水抜手段に関しては、前記記載のものと同様となり、区画槽の底位置に設けた排水孔と、該排水孔よりも１５％〜３０％大きな外径を有し且つ柔軟性と弾力性を保有するホースと、該ホースの流路を開閉する栓部材と、から構成し、該ホースの一端は排水孔内に弾力を利用して圧入し、ホースの一端が水槽本体の底面と面一になっていることが望ましい。栓部材に関しては、例えばホースの他端部分にコルクやキャップ等を嵌脱可能に嵌め込んでもよいし、ホースの他端部分を着脱可能にクリップ止めしてもよい。
【００１６】
区画槽を花瓶として使用する場合、区画槽の口部は一般の花器の口部に比べて広いため、区画槽内に直接花を生けると生け花がまとまらず非常に見栄えが悪くなってしまうことから、請求項１０記載の発明のように、区画槽内に補助花器を備えることによって、生け花が広がらずまとまった形に生けることが可能となり、非常に見栄えがよくなり観賞価値をより高めることができる。また、区画槽内であればどの位置にでも補助花器を移動させることが可能であるとともに、区画槽内に複数個の補助花器を収容することも可能であるため、気分や状況に合わせて様々な生け方を可能にし、より一層観賞価値を高めることができる。補助花器に関しては、特に限定しないが、筒状で周面に透水孔が設けてあるものや、また、補助花器内にのみ水を入れることが可能なように、水抜手段を備えることができる花器型のものなどが挙げられる。
【００１７】
【発明の実施の形態】
以下、本発明の実施形態を図面に基づいて説明する。
【００１８】
図１（イ）（ロ）は第１実施形態を示すもので、水槽本体１は、ガラス板によって形成した正面壁２、左右側面壁３ａ、３ｂ、底壁４と、アクリル板によって他の壁よりも厚めに形成した背面壁５と、から構成し、それらを接着によって組み立てた長方形型の水槽である。背面壁５には水抜手段６が備えてあり、背面壁５の中心部分且つ底壁４から１／４〜１／２の高さ位置に流出孔７を形成し、流出孔７よりも２０〜２５％大きな外径を有したフッ素ゴム製のホース８の一端を流出孔７内に水槽の外側から圧入して強固に孔の周壁に固定されている。流出孔７内に圧入したホース８の一端は、背面壁５の内側と面一になっている。また、ホース８の他端部分には栓体９が嵌脱可能に嵌め込まれている。
【００１９】
図２は第２実施形態を示すもので、第１実施形態と相違するところは、水槽本体１がガラスによって形成された球状周壁１０と底壁４とから構成された、球状の形態をした金魚鉢型水槽であり、水槽本体１の底壁４に水抜手段６が備えてあり、水槽本体１の下方には水槽本体１を載置するための下向きコの字状の架台１１が備えてあり、架台１１の中心部分は、水槽本体１の底壁４に設けた水抜手段６が架台１１内に導かれるようにくり抜いてある点である。また、底壁４の中心部分には水抜孔１２を形成し、水抜孔１２よりも２０％〜２５％大きな外径を有したフッ素ゴム製のホース１３の一端を水抜孔１２内に圧入して強固に孔の周壁に固定されている。さらに、水槽内の水の部分交換をするために、ホース１３の一端はさらに水抜孔１２を通り抜け、水槽本体１内の底壁４から１／４〜１／２の高さまで突出している。水槽内には、底壁４より上方に突出したホース１３の最上端部分にまで玉砂利１４を入れ、周囲からホース１３が見えないようにし体裁を良くするとともに、ホース１３を水抜孔１２と玉砂利１４の２箇所でより強固に固定し引き抜きを困難にしてある。
【００２０】
図３は第３実施形態を示すもので、第２実施形態と相違するところは、水抜孔１２の内壁に水漏れを防ぐためのシーリング１５を固着し、シーリング１５内に下端部分にタケノコネジを形成したプラスティック製の管体１６を嵌め込み、さらに水槽本体１の底部から突出する管体１６の下端部分の外周にフッ素ゴム製のホース１７の一端内に嵌め込み強固にホース１７と固定されている点である。
【００２１】
図４は第４実施形態を示すもので、第２実施形態と大きく相違するところは、水槽本体１の底壁４に完全水抜手段１８を備えている点である。底壁４に水抜孔１２とほぼ同径の排水孔１９を形成し、孔よりも２０％〜２５％大きな外径を有したフッ素ゴム製のホース２０の一端を排水孔１９内に圧入して強固に孔の周壁に固定されている。また、水槽内の底に溜まった排泄物等と古い水を完全に排水するために、排水孔１９に圧入してあるホース２０の上端は底壁４と面一になっている。さらに、ホース２０を排水孔１９により強固に固定し引き抜きを困難にするために、排水孔１９内にホース２０の一端をなるべく長く圧入できるように底壁４を厚めに形成したいが、ガラスで形成するには厚さに限りがあるため、底壁４に底壁４と同じ形状、材質及び厚さの合わせ板２１を固着させてある。
また、第２実施形態では、水槽内に玉砂利１４を入れるのことで体裁を良くし且つホース１３を強固に固定していたが、第４実施形態では、水抜孔１２の内径以上ホース１３の外径未満の貫通孔２２を形成した岩型ホース止め２３を底壁４に載置し、貫通孔２２内にホース１３の突出部分を圧入して、体裁を良くし且つ水抜孔１２と岩型ホース止め２３の２箇所でホース１３を強固に固定し引き抜きを困難にしている。
【００２２】
図５は第５実施形態を示すもので、第４実施形態と相違するところは、水槽本体１の形状が長方形であり、水槽本体１内に仕切板２４を備え、底壁４に水抜手段６及び完全水抜手段１８を備えた第１水槽２５と、仕切板２４によって区画された第２水槽２６と、に分け、第２水槽２６の底壁４にも完全水抜手段１８が備えてある点である。また、第１水槽２５内に口部より吊り下げ可能な係止棒２７付き仕切網２８を挿入し、仕切網２８によって水槽内の下部に仮槽２９を形成し、排泄物のみを仮槽２９に蓄積可能にし、完全水抜手段１８により容易に除去することができるようにしてある。さらに、仕切網２８に水抜孔１２と平行な位置且つほぼ同径の貫通孔３０を形成し、水槽内に玉砂利１４をいれたり、ホース止め２３を載置しなくても水抜手段６のホース１３を貫通孔３０内に圧入し引き抜きを困難にしている。
【００２３】
図６（イ）（ロ）は、第２水槽２６内に生け花を入れた際に、生け花が広がらずまとまった形に生けるための補助花器３１を示したものであり、第２水槽２６の口部から立てた状態で内部に収容するものである。図６（イ）は円筒状の花瓶型補助花器３１であり、補助花器３１内の生け花がさらに広がらないように、口部を内側に狭くするためのリング部材３２が補助花器３１の口部周縁に載置してある。また、補助花器３１の周面の下端には透水孔３３を形成し、補助花器３１内には上げ底を兼ねた中心部分に透水孔３３が形成された仕切板３４を嵌め込み、補助花器３１内周壁に固着してある。透水孔３３を第２水槽２６の底壁４に備えた排水孔１９とほぼ同径に形成すれば、排水孔１９内に圧入したホース２０の一端を排水孔１９から貫通させ底壁４の上部に突出させ、さらに透水孔３３内に圧入させることで、補助花器３１に直接完全水抜手段１８を備えることが可能となり、補助花器３１内にのみ水を入れればよくなり、水交換がより容易に行うことができる。図６（ロ）は長方形型の花瓶型補助花器３１であり、図６（イ）と相違するところは、補助花器３１が長方形型である点と、口部周縁にリング部材３２を載置していない点である。
【００２４】
【発明の効果】
本発明のうち請求項１、２又は３記載の発明によれば、水槽を載置場所から移動させることなく、水槽内の古い水の部分交換を容易に行うことが可能であり、水交換を行っても水槽内に観賞魚の生息に適した環境を容易に保つことができるため、病気にならず元気な観賞魚を観賞できる観賞価値の非常に優れた観賞用水槽体を提供することができる。
【００２５】
本発明のうち請求項４記載の発明によれば、水抜手段を構成する管体及び導水管を一体に形成することが可能となるうえ、加工が容易であるため低コスト化を図ることができ、さらに、ホースを水抜孔内に圧入することでホースが強固に固定され引き抜きが困難となり、水漏れを確実に防ぐことができる。
【００２６】
本発明のうち請求項５記載の発明によれば、水槽を移動させることなく水の部分交換を行えることはもちろん、水槽内の水を完全に排水することが可能となり、水の部分交換だけでは除去しきれない水槽内の底部分に溜まった排泄物等も除去することができ、衛生的で観賞魚の生息により適した環境を容易に保つことができ、観賞価値をより一層高めることができる。
【００２７】
本発明のうち請求項６記載の発明によれば、ホースの一端を排水孔内に圧入することでホースが強固に固定され引き抜きが困難となり、水漏れを確実に防ぐことができる。また、ホースの一端が水槽本体の底面と面一になっていることで水槽内の古い水を排泄物とともに確実に全て排水することができる。
【００２８】
本発明のうち請求項７記載の発明によれば、管体の突出部分が周囲から直接見えることを防ぎ水槽の外観上の体裁が非常に良くなり、観賞価値をより高めることができるとともに、管体を水抜孔と偽装部材の２箇所でより一層確実且つ強固に固定し引き抜きを困難となり、水漏れをより一層確実に防ぐことができる。
【００２９】
本発明のうち請求項８記載の発明によれば、区画槽を花器として使用することが可能となり、１つの水槽内で観賞魚と生け花を観賞することができ、今までにないより豪華な雰囲気を醸し出すことが可能となり、観賞価値をより一層高めることができる。
【００３０】
本発明のうち請求項９記載の発明によれば、水槽を移動させることなく区画槽内の水を容易に全て排水することが可能であり、区画槽内から汚水が全て排水され、新しい水と交換することが可能であるため、生け花のみずみずしい状態を長期間保つことができ、利便性及び観賞性に非常に優れた観賞用水槽体を提供することができる。
【００３１】
本発明のうち請求項１０記載の発明によれば、区画槽内に生け花を生けた際に生け花が広がらずまとまった形に生けることが可能であるため、非常に見栄えがよくなり観賞価値をさらにより一層高めることができる。
【図面の簡単な説明】
【図１】（イ）（ロ）本発明の第１実施形態を示す斜視図及びＡ−Ａ矢視の断面図である。
【図２】本発明の第２実施形態を示す断面図である。
【図３】本発明の第３実施形態を示す断面図である。
【図４】本発明の第４実施形態を示す断面図である。
【図５】本発明の第５実施形態を示す斜視図である。
【図６】（イ）（ロ）補助花器を示す斜視図である。
【符号の説明】
１　水槽本体
３ａ　　側面壁（側面）
３ｂ　　側面壁（側面）
４　底壁（底面）
５　背面壁（背面）
６　水抜手段
７　流出孔
８　ホース（排水管）
９　栓体（栓部材）
１２　水抜孔
１３　ホース（管体及び導水管）
１４　玉砂利（偽装部材）
１６　管体
１７　ホース（導水管）
１８　完全水抜手段
１９　排水孔
２０　ホース
２３　ホース止め（偽装部材）
２４　仕切板
２６　第２水槽（区画槽）
３１　補助花器
【図１】
2004065172.tif 000003
【図２】
2004065172.tif 000004
【図３】
2004065172.tif 000005
【図４】
2004065172.tif 000006
【図５】
2004065172.tif 000007
【図６】
2004065172.tif 000008